(57)【要約】【課題】本発明の課題は、下地である第１の植毛層の上に異色または色調の異なる第２の植毛層の文字、模様、記号等を形成した製品の外観を良好にすることにある。【解決手段】基材１上に第１の接着剤２を塗布して静電場においてパイルを撒布して植毛を行なって第１の植毛層３を形成し、更に上記第１の植毛層３の上に第２の接着剤４を部分的に塗布して静電場において第１の植毛層３に使用したパイルと同色又は類似色のパイルを撒布して第２の植毛層５を形成する植毛製品６の製造方法を提供する。第１の植毛層３のパイル３１と第２の植毛層５のパイル５１とは同色又は類似色であるから、第１の植毛層３上に塗布した接着剤４層を第２の植毛層５のパイル５１がはみ出して付着しても目立たず色混じりが起こらない。【選択図】  図４
2010075773.tif 000002
【特許請求の範囲】
【請求項１】
基材上に第１の接着剤を塗布して静電場においてパイルを撒布して植毛を行なって第１の植毛層を形成し、更に上記第１の植毛層の上に第２の接着剤を部分的に塗布して静電場において第１の植毛層に使用したパイルと同色又は類似色のパイルを撒布して第２の植毛層を形成することを特徴とする植毛製品の製造方法。
【請求項２】
上記第１の接着剤と上記第２の接着剤とは同色または異色にされている請求項１に記載の植毛製品の製造方法。
【発明の詳細な説明】
【技術分野】
【０００１】
本発明は植毛層の上に更に部分的に植毛層を形成することによって模様、文字等を表した植毛製品を製造する方法に関するものである。
【背景技術】
【０００２】
従来、上記植毛製品を製造するには、基材上に接着剤を塗布して静電場において所定の色の第１のパイルを撒布して植毛を行なって第１の植毛層を形成し、更に上記第１の植毛層の上に第１の接着剤と同種同色の第２の接着剤を部分的に塗布して静電場において第１の植毛層に使用した第１のパイルとは異色の第２のパイルを撒布して植毛を行なう方法が適用されていた。
【０００３】
【特許文献１】特開平３−２２４６６０号公報
【特許文献２】特開２００５−２１８９１６号公報
【発明の開示】
【発明が解決しようとする課題】
【０００４】
上記従来の方法では、第２のパイルを第１の植毛層の上に植毛する際、第２の接着剤を塗布した部分よりはみ出して上記第２のパイルが付着し、第１の植毛層が第２のパイルによって汚染され色混じりが起こると云う問題点がある。
【課題を解決するための手段】
【０００５】
本発明は上記従来の課題を解決するための手段として、基材１上に第１の接着剤２を塗布して静電場においてパイルを撒布して植毛を行なって第１の植毛層３を形成し、更に上記第１の植毛層３の上に第２の接着剤４を部分的に塗布して静電場において第１の植毛層３に使用したパイルと同色又は類似色のパイルを撒布して第２の植毛層５を形成する植毛製品６の製造方法を提供するものである。通常上記第１の接着剤２と上記第２の接着剤４とは同色または異色にされている。
【発明の効果】
【０００６】
〔作用〕
本発明では、第２のパイル５１として第１のパイル３１と同種同色又は類似色のものを使用するから、第１の植毛層３上に第２の接着剤４を部分的に塗布して第２のパイル５１を植毛する際、第２の接着剤４を塗布した部分よりはみ出して第２のパイル５１が付着しても、第１のパイル３１と第２のパイル５１とは同色又は類似色であるから、第２のパイル５１の付着部分は第１の植毛層３に同化して目立たなくなり、色混じりが起こらない。
【０００７】
第１の接着剤２と第２の接着剤４とを同色にしても、第１の植毛層３上に塗布した第２の接着剤４が第２の植毛層５を透かして目視されるため、第１の植毛層３と第２の植毛層５とは色調が異なって見える。
また第１の接着剤２と第２の接着剤４とを異色にした場合には、第１のパイル３１と第２のパイル５１とを同色にしても、第１の植毛層３からは第１の接着剤２の色が透視され、第２の植毛層５にあっては第２の接着剤４の色が第２の植毛層５を透かして目視されるため、第１の植毛層３と第２の植毛層５とは異色に見える。
【０００８】
したがって本発明の植毛製品６にあっては、第１の植毛層３が第２のパイル５１によって汚染されたように見えることが解消され、良好な外観のものとなる。
【発明を実施するための最良の形態】
【０００９】
本発明を図１〜図５に示す一実施例によって説明する。
図１に示すように基材１の上に第１の接着剤２を全面的に塗布し、図２に示すように静電場において第１のパイル３１を植毛して第１の植毛層３を形成する。
【００１０】
上記基材１は例えば不織布、編織物等の繊維シート、ポリエチレン、ポリプロピレン、ポリエステル等のプラスチックシート、セラミックス板等である。
【００１１】
上記第１の接着剤２とは、例えばアクリル樹脂エマルジョン、酢酸ビニル樹脂エマルジョン、ウレタン樹脂エマルジョン、スチレン−ブタジエンゴムラテックス、アクリロニトリル−ブタジエンゴムラテックス、天然ゴムラテックス等の従来から植毛に使用されている接着剤が使用される。
【００１２】
上記第１のパイル３１としては、ポリアミド繊維、ポリエステル繊維、アクリル樹脂等の合成繊維、レーヨン、ポリノジック、キュプラ等の再生繊維、アセテート、トリアセテート、プロミックス等の半合成繊維等、従来植毛用パイルに使用されている繊維の短繊維が用いられる。
【００１３】
図３に示すように上記第１の植毛層３の上には部分的に第２の接着剤４が塗布される。部分的に第２の接着剤４を塗布するには、グラビア印刷法、シルクスクリーン印刷法、オフセット印刷法等の周知の方法が使用される。
上記第２の接着剤４は所望の模様、文字、記号等の形状に塗布されてもよい。
【００１４】
上記第２の接着剤４を第１の植毛層３上に部分的に塗布した後、静電場において第２のパイル５１が植毛され、第２の植毛層５が形成される。
【００１５】
上記第２の接着剤４は第１の接着剤２と同種であるが、異色のものが使用される。例えば上記第１の接着剤２としては顔料、染料等の色材が添加されていないものを使用し、上記第２の接着剤４には色材を添加して黄色、緑色、赤色、ピンク色等任意の色に着色する。
また第１の接着剤２に第１の色材を添加して着色し、第２の接着剤に上記第１の色材とは異色の第２の色材を添加して第１の接着剤とは異色に着色してもよい。
【００１６】
上記第２のパイル５１は第１のパイル３１と同色又は類似色のものが使用される。原則としては第１のパイル３１と第２のパイル５１とは同じものを使用する。
【００１７】
第２のパイル５１を第１の植毛層３上に植毛する場合、第２のパイル５１が第１の植毛層３上に塗布した第２の接着剤４からはみ出して第１の植毛層３に付着する。この場合はみ出して付着した第２のパイル５１を電子掃除機等で吸引し除去するが、第２のパイル５１も一部第１の接着剤２に固定されて吸引除去出来ないものがある。しかし第１のパイル３１も第２のパイル５１も同じパイルであるから、第２のパイル５１がはみ出して付着してもその部分は第１の植毛層３に同化して目立たなくなり、色混じりが起こらない。
【００１８】
このような植毛製品６においては、第１の植毛層３にあっては、第１の植毛層３を透かして第１の接着剤２の色が透視され、第２の植毛層５にあっては、第２の植毛層５を透かして第２の接着剤４の色が透視される。
第１の接着剤２と第２の接着剤４とは同色のもの（同じもの）を使用してもよい。この場合でも第１の植毛層３とは色調の異なる第２の植毛層５が形成される。
【００１９】
このようにして図５に示すような第１の植毛層３上に異色あるいは色調の異なる文字、模様を形成した第２の植毛層５が形成される。
【産業上の利用可能性】
【００２０】
本発明では第１の植毛層３と第２の植毛層５とで同じパイルが使用出来、また外観も汚染個所がなく良好なものとなるから、産業上利用可能である。
【図面の簡単な説明】
【００２１】
図１〜図５は本発明の一実施例を示す図である。
【図１】基材に第１の接着剤を塗布した状態の側断面図
【図２】第１の植毛層を形成した状態の側断面図
【図３】第１の植毛層上に部分的に第２の接着剤を塗布した状態の側断面図
【図４】第２の植毛層を形成した状態の側断面図
【図５】植毛製品の平面図
【符号の説明】
【００２２】
１    基材
２    第１の接着剤
３    第１の植毛層
４    第２の接着剤
５    第２の植毛層
６    植毛製品
３１  第１のパイル
５１  第２のパイル
【図１】
2010075773.tif 000003
【図２】
2010075773.tif 000004
【図３】
2010075773.tif 000005
【図４】
2010075773.tif 000006
【図５】
2010075773.tif 000007